(57)【特許請求の範囲】
【請求項１】
パケット網に接続され、パケットが送られてくるとパケットを分解して信号を取り出すと共に、音声信号を送る場合にパケット化するパケット分解／組立部と、
送話器から入力された音声信号を遅延させる遅延部と、
パケット分解／組立部により分解されて得られた音声信号と前記遅延部により遅延させられた音声信号とを受け取り、これらの比較結果に基づき前記遅延部により遅延させられた音声信号に減衰を与えたエコー打消信号を出力する打消量制御部と、
この打消量制御部から出力されるエコー打消信号と前記パケット分解／組立部により分解されて得られた音声信号とを加える加算器と、
相手側電話装置から送られる音声データと共に送信時時刻情報が含まれた音声パケットを受け取る毎に、音声パケットから送信時時刻情報を取り出し、現在時刻と比較して当該音声パケットが到来するまでに要した時間を検出し、この時間の２倍の時間を遅延量として前記遅延部に設定する手段と
を具備することを特徴とする電話装置。
【請求項２】
受話器から入力された音声信号を前記パケット分解／組立部によりパケット化する場合に、その時点の時刻情報を付加してパケット化するパケット化手段を
更に具備することを特徴とする請求項１に記載の電話装置。
【発明の詳細な説明】
【０００１】
【発明の属する技術分野】
この発明は、パケット網に接続される単独電話機、ボタン電話装置、構内交換機などの電話装置に関するものである。
【０００２】
【従来の技術】
従来の電話装置は、回線交換網に接続されることを前提としてエコーキャンセラが設計されおり、自局の音声信号と通話相手側において反射して帰ってくる反射信号の相関をとることにより、側音減衰レベルと側音遅延時間を計測し、これを用いてエコーキャンセルを行っていた。
【０００３】
【発明が解決しようとする課題】
しかしながら、近年においては回線交換網の他にパケット網が使用されており、各パケットが同一経路を通ることが保証されていないことから、上記のようなエコーキャンセルの手法を用いた電話装置では、適切に側音を低減できないという問題点があった。
【０００４】
本発明は上記のような電話装置が有する問題点を解決せんとしてなされたもので、その目的は、パケット網においても適切にエコーキャンセルを行うことが可能な電話装置を提供することである。
【０００５】
【課題を解決する手段】
本発明に係る電話装置は、パケット網に接続され、パケットが送られてくるとパケットを分解して信号を取り出すと共に、音声信号を送る場合にパケット化するパケット分解／組立部と、送話器から入力された音声信号を遅延させる遅延部と、パケット分解／組立部により分解されて得られた音声信号と前記遅延部により遅延させられた音声信号とを受け取り、これらの比較結果に基づき前記遅延部により遅延させられた音声信号に減衰を与えたエコー打消信号を出力する打消量制御部と、この打消量制御部から出力されるエコー打消信号と前記パケット分解／組立部により分解されて得られた音声信号とを加える加算器と、相手側電話装置から送られる音声データと共に送信時時刻情報が含まれた音声パケットを受け取る毎に、音声パケットから送信時時刻情報を取り出し、現在時刻と比較して当該音声パケットが到来するまでに要した時間を検出し、この時間の２倍の時間を遅延量として前記遅延部に設定する手段とを具備することを特徴とする。
【０００６】
本発明に係る電話装置は、受話器から入力された音声信号を前記パケット分解／組立部によりパケット化する場合に、その時点の時刻情報を付加してパケット化するパケット化手段を更に具備することを特徴とする。
【０００８】
【発明の実施の形態】
以下添付図面を参照して本発明に係る電話装置を説明する。ここでは、電話装置としてボタン電話装置について説明を行うが、本発明は単独電話機や構内交換機等に適用できることは言うまでもない。
【０００９】
図１に示す構成図に明らかなように、実施の形態に係るボタン電話装置には、主装置１にボタン電話機２が接続されている。図２に示されるように主装置１は、パケット網３に接続され、相手側の主装置１Ａと通信可能である。主装置１Ａにはボタン電話機２Ａが接続されている。
【００１０】
主装置１には、図１に示されるように、パケット網３との間でパケットの送受を行う伝送部１１、パケットの分解と組立等を行うパケット分解／組立部１２、各部の制御を行う制御部１０が設けられている。
【００１１】
一方、ボタン電話機２には、送話器２１と受話器２２、通話回路２３、Ａ／Ｄ変換器２４、Ｄ／Ａ変換器２５、エコーキャンセラ２６、操作部２７が備えられている。
【００１２】
エコーキャンセラ２４には、送話器２１から入力された音声信号を遅延させる遅延部３１と、エコーの打消量を制御する打消量制御部３２、打消量制御部３２の出力と到来した音声信号とを加える加算器３３が備えられている。
【００１３】
上記において、遅延部３１は制御部１０の指示に基づいて遅延量の制御を行う。また、打消量制御部３２は、遅延部３１から出力される音声信号とパケット分解／組立部１２から出力された音声信号との比較を行い、打消量を決定する。
【００１４】
操作部２７には、フックスイッチ、ダイヤルキー等のキー、動作状態等を表示するＬＥＤ、スピーカが含まれている。
【００１５】
制御部１０には、時計（図示せず）が含まれており、この時計から得た時刻データがパケット分解／組立部１２へ送られている。パケット分解／組立部１２は、送信する音声パケットにその時点の時刻データを付加して、例えば、図３に示されるようなフォーマットのデータとして送信する。
【００１６】
図３の音声パケットのフォーマットを説明する。パケットの先頭には宛先や送信元やパケットの種別等の情報がセットされたパケットヘッダが設けられている。パケットヘッダに次いで、音声データ、更に時刻データがセットされる。
【００１７】
以上のように構成された主装置１とボタン電話機２とが、同様に構成された主装置１Ａとボタン電話機２Ａと図２のようにパケット網３を介して接続されて通話する場合の動作は、図４、図５に示されるフローチャートに基づいて行われるので、これを説明する。
【００１８】
主装置１（１Ａ）の制御部１０は、操作部２７からオフフック信号が送られるか、パケット網３を介して相手側から着信の呼制御パケットが送られてくるかを検出している（Ｓ１、Ｓ２）。ここで、オフフックが検出されると、パケット分解／組立部１２へ発呼のための呼制御パケットの送信を指示して発信処理を実行し（Ｓ３）、一方相手側から着信の呼制御パケットが送られてくると、これをパケット分解／組立部１２から受け取った制御部１０は、操作部２７のスピーカを制御して呼出音を発生させＬＥＤを点滅させるなどの着信処理を実行する（Ｓ４）。
【００１９】
発信処理（Ｓ３）または着信処理（Ｓ４）の後には、通話の双方の応答を検出し（Ｓ５）、パケット網３側から送られてきた音声パケットの取込み処理を行い（Ｓ６）、当該パケットから時刻データを取出し、この時刻データに基づき遅延量と打消量の制御を行う（Ｓ７）。
【００２０】
上記ステップＳ７における詳細動作は次の通りである。制御部１０は、時刻データを取り出すと、自身が備えている時計の時刻と比較を行い、例えば、ｔの時間を経て当該音声パケットが到来していることを検出する。側音は、当該主装置１から送信された音声信号がパケット網３を介して主装置１Ａへ到り、反射経路によりボタン電話機２Ａから入力されて到来するものであるから、厳密ではないが、送信した時刻から２ｔ経過したときに帰ってくると推定される。
【００２１】
そこで、制御部１０は、エコーキャンセラ２６の遅延部３１に２ｔの遅延を指示する。これにより、送話器２１から入力された音声信号は、遅延部３１により２ｔの遅延を受けて打消量制御部３２へ到る。打消量制御部３２は、パケット分解／組立部１２から送出された音声信号を取込み、遅延部３１から出力された音声信号（２ｔ遅れの信号）と比較する。
【００２２】
上記比較においては、遅延部３１から出力された信号は時間が２ｔ前に当該ボタン電話装置側から送った音声信号であり、例えば、図６の（ａ）に示すような信号成分ｓ１の波形であるとする。これに対し、パケット分解／組立部１２から送出された音声信号は、相手側のボタン電話装置にて相手が入力した音声の信号成分ｓ２に、上記信号成分ｓ１による側音の信号成分ｓ１１が重畳された図６の（ｂ）に示される成分を持つ波形となる。そこで、比較の結果から、信号成分ｓ１と側音の信号成分ｓ１１においては、信号成分ｓ１１のレベルが信号成分ｓ１より低く、その差に対応する減衰量を信号成分ｓ１に与えて打消量制御が行われる。
【００２３】
信号成分ｓ１を減衰させた信号成分ｓ１２と信号成分ｓ１１の加算（実際は減算）が加算器３３において行われ側音の低減が図られる。
【００２４】
上記制御が行われると、図５に示すように音声パケットの到来とオンフックの検出が行われ（Ｓ８、Ｓ９）、パケットの到来があるとステップＳ６、Ｓ７が繰り返され、オンフックを検出すると、終話処理（Ｓ１１）へと進む。終話処理においては、パケット分解／組立部１２から切断の呼制御パケットを送信させる。また、オンフックが検出されない場合に切断パケットがパケット分解／組立部１２から与えられると（Ｓ１０）、これに応えてパケット分解／組立部１２から切断の呼制御パケットを送信させる終話処理（Ｓ１１）を行う。
【００２５】
以上のようにして本実施の形態によると、音声パケットに含まれる送信時の時刻データを用いて送話信号を用いたエコー打消信号（信号成分ｓ１２）と受話信号（ｓ２＋ｓ１１）との合成タイミングが制御され、適切なエコー打消が行われるようになる。
【００２６】
【発明の効果】
以上説明したように本発明に係る電話装置によれば、相手側から送られる音声パケットに含まれる時刻情報に基づき、送話信号を用いたエコー打消信号と受話信号との合成のタイミングが制御され、異なる経路を通る可能性がある音声パケットによる網を用いても適切にエコーキャンセルがなされる効果がある。
【００２７】
以上説明したように本発明に係る電話装置によれば、受話器から入力された音声信号をパケット化して送信する場合に、時刻情報を付加してパケット化するので、相手電話装置において音声パケットに含まれる時刻情報に基づき、送話信号を用いたエコー打消を可能とできる。
【図面の簡単な説明】
【図１】本発明に係る電話装置の構成図。
【図２】本発明に係る電話装置を用いたシステムの構成図。
【図３】本発明に係る電話装置において用いられる音声パケットのフォーマットを示す図。
【図４】本発明に係る電話装置の動作を示すフローチャート。
【図５】本発明に係る電話装置の動作を示すフローチャート。
【図６】本発明に係る電話装置の動作を示す波形図。
【符号の説明】
１、１Ａ  主装置                  ２、２Ａ  ボタン電話機
３  パケット網                    １０  制御部
１１  伝送部                      １２  パケット分解／組立部
２１  送話器                      ２２  受話器
２３  通話回路                    ２４  Ａ／Ｄ変換器
２５  Ｄ／Ａ変換器                ２６  エコーキャンセラ
２７  操作部                      ３１  遅延部
３２  打消量制御部                ３３  加算器
【図１】
0003756724.tif 000002
【図２】
0003756724.tif 000003
【図３】
0003756724.tif 000004
【図４】
0003756724.tif 000005
【図５】
0003756724.tif 000006
【図６】
0003756724.tif 000007